(57)【特許請求の範囲】
【請求項１】
互いに並行して縦方向へ延びる両側縁部と、互いに並行して横方向へ延びる両端縁部とを有し、前記縦方向に前胴周り域と、後胴周り域と、それら胴周り域の間に位置する股下域とを備え、前記前後胴周り域を連結する止着部材が、前記前後胴周り域いずれか一方の両側縁部の肌当接面に取り付けられ、前記止着部材を係脱可能に止着する被止着域が、他方の肌非当接面に形成されたオープン型の使い捨て着用物品において、
前記止着部材の外面を被う被覆部が、可撓性の被覆シートから形成され、前記止着部材の外側に位置する前記両側縁部に固着された基端部と、前記基端部に連なり前記物品の横方向内方へ延びて前記止着部材を被う自由端部とを有することを特徴とする前記物品。
【請求項２】
前記止着部材が、該止着部材から前記物品の横方向外方へ延びる外側領域を有し、前記被覆部が、可撓性の被覆シートから形成され、前記被覆シートが、前記外側領域に固着された基端部と、前記基端部に連なり前記止着部材を被う自由端部とを有する請求項１記載の物品。
【請求項３】
前記被覆シートの自由端部が、前記止着部材を前記物品の横方向内方へ越える寸法を有する請求項１又は２に記載の物品。
【請求項４】
前記止着部材が、該止着部材から前記物品の横方向外方へ延びていて前記両側縁部に非固着の外側領域を有し、前記外側領域が、前記止着部材の方向へ折曲されて該止着部材を被う前記被覆部を形成し、かつ、前記止着部材を前記物品の横方向内方へ越える寸法を有する請求項１記載の物品。
【請求項５】
前記止着部材が係脱可能なフック部材を有し、前記フック部材と前記被覆部の前記基端部とが所与寸法離間している請求項１記載の物品。
【発明の詳細な説明】
【０００１】
【発明の属する技術分野】
本発明は、オープン型の使い捨て着用物品に関し、詳細には、いずれもオープン型の、使い捨ておむつやおむつカバー、トレーニングパンツ、失禁パンツ等の使い捨て着用物品に関する。
【０００２】
【従来の技術】
特開平１０−１５５８３４号公報は、縦方向に前後胴周り域と、それら胴周り域の間に位置する股下域とを有し、後胴周り域の両側縁部の内面に止着部材が取り付けられ、前胴周り域の両側縁部の外面に被止着域が形成されたオープン型の使い捨ておむつを開示している。このおむつは、透液性表面シートと、不透液性裏面シートと、それらシートの間に介在する吸液性コアとから形成されている。このおむつでは、止着部材としてマジックテープやベルクロテープ等の商品名で知られる矩形のフック部材が使用され、被止着域に矩形のループ部材が取り付けられている。おむつは、後胴周り域の両側縁部と前胴周り域の両側縁部とを重ね合わせ、フック部材をループ部材に係脱可能に止着して前後胴周り域を連結する。
【０００３】
【発明が解決しようとする課題】
同号公報に開示のおむつは、止着部材が常に露出しているので、表面シートと裏面シートとが不織布や織布から形成されていると、おむつの非着用時に止着部材が表面シートや裏面シートに係合してしまうことがある。止着部材がそれらシートに係合すると、それを強制的に剥離させなければならず、手間を要する。また、止着部材を剥離させる際に表面シートや裏面シートが破断したり、毛羽立っておむつを痛めてしまうことがある。
【０００４】
本発明の課題は、非着用時において、止着部材が表面シートや裏面シート等に不用意に係合することを防ぎ、止着部材によってシートを痛めてしまうことがないオープン型の使い捨て着用物品を提供することにある。
【０００５】
【課題を解決するための手段】
前記課題を解決するための本発明の前提は、互いに並行して縦方向へ延びる両側縁部と、互いに並行して横方向へ延びる両端縁部とを有し、前記縦方向に前胴周り域と、後胴周り域と、それら胴周り域の間に位置する股下域とを備え、前記前後胴周り域を連結する止着部材が、前記前後胴周り域いずれか一方の両側縁部の肌当接面に取り付けられ、前記止着部材を係脱可能に止着する被止着域が、他方の肌非当接面に形成されたオープン型の使い捨て着用物品である。
【０００６】
かかる前提において、本発明の特徴は、前記止着部材の外面を被う被覆部が、可撓性の被覆シートから形成され、前記止着部材の外側に位置する前記両側縁部に固着された基端部と、前記基端部に連なり前記物品の横方向内方へ延びて前記止着部材を被う自由端部とを有することにある。
【０００７】
ここで、肌当接面とは、着用者の肌に当接する側の物品の面をいい、肌非当接面とは、着用者の肌に当接しない側の物品の面をいう。また、連なるとは、両側縁部が被覆部となる場合、止着部材の一部が被覆部となる場合、被覆部が後記する被覆シートから形成され、被覆シートが両側縁部に直接的また他の部材を介して間接的に連接される場合、のいずれかを意味する。
【０００８】
【０００９】
本発明の実施の態様の他の一例としては、前記止着部材が、該止着部材から前記物品の横方向外方へ延びる外側領域を有し、前記被覆部が、可撓性の被覆シートから形成され、前記被覆シートが、前記外側領域に固着された基端部と、前記基端部に連なり前記止着部材を被う自由端部とを有する。
【００１０】
本発明の実施の態様の他の一例としては、前記被覆シートの自由端部が、前記止着部材を前記物品の横方向内方へ越える寸法を有する。
【００１１】
本発明の実施の態様の他の一例としては、前記止着部材が、該止着部材から前記物品の横方向外方へ延びていて前記両側縁部に非固着の外側領域を有し、前記外側領域が、前記止着部材の方向へ折曲されて該止着部材を被う前記被覆部を形成し、かつ、前記止着部材を前記物品の横方向内方へ越える寸法を有する。
【００１２】
【発明の実施の形態】
添付の図面を参照し、本発明にかかるオープン型の使い捨て着用物品の詳細を使い捨ておむつを例として説明すると、以下のとおりである。
【００１３】
図１，２は、一部を破断して示す使い捨ておむつ１の斜視図と、後胴周り域２２を示すおむつ１の部分斜視図とであり、図３は、図２のＡ−Ａ線切断面図である。図１，２では、一方の被覆シート６を止着部材５からめくった状態で示す。なお、以後の説明では、表面シート２をパネル４の上方へ、裏面シート３をパネル４の下方へそれぞれ引き離したときの、各部材のパネル４に対向する面を内面とし、パネル４に対向する面の反対面を外面とする。
【００１４】
おむつ１は、透液性表面シート２と、不透液性裏面シート３と、表面シート２と裏面シート３との間に介在し、全体が透水性のティッシュペーパー（図示せず）に被覆、接合された吸液性パネル４とを主要な構成部材とする。パネル４は、ティッシュペーパーを介して表面シート２と裏面シート３との少なくとも一方の内面に接合されている。
【００１５】
おむつ１は、着用者の腹部の側に位置する前胴周り域２０と、着用者の背部の側に位置する後胴周り域２２と、前後胴周り域２０，２２の間に位置する股下域２１とを備え、互いに並行して縦方向へ延び、股下域２１においておむつ１の横方向内方へ向かって弧を画く両側縁部１ａと、互いに並行して横方向へ延びる両端縁部１ｂとを有する。
【００１６】
おむつ１の両側縁部１ａには、縦方向へ延びる液抵抗性の側部シート７が取り付けられている。おむつ１では、後胴周り域２２における両側縁部１ａの肌当接面に止着部材５が取り付けられ、前胴周り域２０の肌非当接面に止着部材５を係脱可能に止着する被止着域が形成されている。
【００１７】
おむつ１の両側縁部１ａでは、表面シート２の両側部分２ａから横方向外方へ裏面シート３の両側部分３ａと側部シート７の外側部分７ｄとが延び、両側部分３ａと外側部分７ｄとが互いに重なり合った状態で、それら部分３ａ，７ｄが接着剤８を介して間欠的に固着されている。表面シート２の両側部分２ａは、両側部分３ａと外側部分７ｄとの間に介在し、それら部分３ａ，７ｄに接着剤９を介して間欠的に固着されている。
【００１８】
止着部材５は、矩形の不織布５ａと、おむつ１の横方向中央部寄りに位置する矩形のフック部材５ｂとから形成されている。止着部材５では、フック部材５ｂからおむつ１の横方向外方へ不織布５ａが延びて外側領域５ｃを形成している。止着部材５では、フック部材５ｂの内面が接着剤１０を介して不織布５ａの外面に固着され、不織布５ａの内面が接着剤１１を介して側部シート７の外側部分７ｄに固着されている。フック部材５ｂは、その外面が不織布からなる矩形の被覆シート６に被覆されている。
【００１９】
被覆シート６は、外側領域５ｃの外面に合掌状に重なり合う基端部６ａと、基端部６ａにつながっておむつ１の横方向内方へ延びる自由端部６ｂとを有する。基端部６ａは、その内面が外側領域５ｃに接着剤１２を介して固着されている。自由端部６ｂは、フック部材５ｂをおむつ１の横方向内方へ越える寸法を有し、フック部材５ｂの外面全域が自由端部６ｂによって被覆されている。自由端部６ｂでは、フック部材５ｂを横方向内方へ越える部位が自由端部６ｂを摘持するときの摘み６ｃを形成する。
【００２０】
被止着域は、フック部材５ｂが係脱可能な矩形のループ部材１３から形成され、ループ部材１３の内面が裏面シート３の外面に接着剤（図示せず）を介して固着されている。
【００２１】
おむつ１では、図２に示すように、被覆シート６の摘み６ｃを指で摘持して自由端部６ｂを矢印Ｘ方向へめくり、フック部材５ｂを露出させる。後胴周り域２２の両側縁部１ａが前胴周り域２０の両側縁部１ａの外側になるように重ね合わせ、フック部材５ｂをループ部材１３に係合させる。前後胴周り域２０，２２の両側縁部１ａが連結されたおむつ１には、胴周り開口と、一対の脚周り開口とが画成される。
【００２２】
おむつ１の非着用時では、被覆シート６がフック部材５ｂを被っているので、フック部材５ｂが表面シート２や裏面シート３、側部シート７に不用意に係合してしまうことはない。また、被覆シート６が不織布で形成されているので、被覆シート６がフック部材５ｂを被覆したときに、被覆シート６にフック部材５ｂが係合し、被覆シート６のめくれを防ぐことができる。なお、おむつ１では、被覆シート６がフック部材５ｂを被っていればよく、フック部材５ｂが被覆シート６に係合することは必ずしも必要ではないので、被覆シート６がフック部材５ｂと非係合の可撓性プラスチックシートから形成されていてもよい。
【００２３】
おむつ１では、止着部材５の外側領域５ｃに被覆シート６の基端部６ａが合掌状に重なり合って固着されているので、自由端部６ｂがフック部材５ｂの外面からめくれ難い。
【００２４】
止着部材５では、フック部材５ｂと被覆シート６の基端部６ａとが近接していると、被覆シート６の自由端部６ｂがめくれ易くなってしまうことから、フック部材５ｂと基端部６ａとが所与寸法離間していることが好ましい。フック部材５ｂと基端部６ａとの離間寸法Ｌ１は、３〜１０ｍｍの範囲、好ましくは、４〜５ｍｍの範囲である。
【００２５】
側部シート７は、表面シート２に固着された固着側部７ａと、固着側部７ａと並行して縦方向へ延びる自由側部７ｂと、おむつ１の横方向内方へ倒伏された状態で表面シート２に固着された両端部７ｃとを有し、固着側部７ａから横方向外方へ外側部分７ｄが延びている。側部シート７の自由側部７ｂには、縦方向へ延びる弾性伸縮性部材１４が自由側部７ｂの一部に被覆された状態で伸長下に固着されている。側部シート７は、その自由側部７ｂが表面シート２の上方へ起立性向を有する。
【００２６】
おむつ１の両側縁部１ａには、縦方向へ延びる複数条の脚周り用弾性伸縮性部材１５が伸長状態で取り付けられている。脚周り用弾性部材１５は、裏面シート３の両側部分３ａと側部シート７の外側部分７ｄとの間に介在し、裏面シート３と側部シート７との少なくとも一方の内面に固着されている。
【００２７】
おむつ１の両端縁部１ｂには、横方向へ延びる胴周り用弾性伸縮性部材１６が伸長状態で取り付けられている。胴周り用弾性部材１６は、おむつ１の両側縁部１ｂに位置する部分が裏面シート３の両側部分３ａと側部シート７の外側部分７ｄとの間に介在し、裏面シート３と側部シート７との少なくとも一方の内面に固着され、残余の部分が表面シート２と裏面シート３との間に介在し、それらシート２，３の少なくとも一方の内面に固着されている。
【００２８】
図１では、弾性部材１４，１５，１６各々が収縮し、おむつ１の両側縁部１ａおよび両端縁部１ｂと側部シート７の自由側部７ｂとに多数のギャザーが形成され、側部シート７の自由側部７ｂが図１の上方へ起立している。
【００２９】
図４，５は、他の実施の形態を示すおむつ１の部分斜視図と、図４のＢ−Ｂ線切断面図とである。おむつ１の基本的な構成は、図１のそれと同一であるので、その説明は省略する。図４に示すおむつ１が図１のそれと異なる点は、以下のとおりである。
【００３０】
図４のおむつ１において、後胴周り域２２の両側縁部１ａの内面に取り付けられた止着部材５は、その外面に粘着剤５ｅが塗布されたプラスチックシート５ｄから形成され、プラスチックシート５ｄの内面が側部シート７の外側部分７ｄに接着剤１１を介して固着されている。止着部材５は、その外面が不織布からなる矩形の被覆シート６に被覆されている。
【００３１】
被覆シート６は、止着部材５の外側に延びる後胴周り域２２の両側縁部１ａの肌当接面に合掌状に重なり合う基端部６ａと、基端部６ａに連なって横方向内方へ延びる自由端部６ｂとを有する。基端部６ａは、その内面が側部シート７の外側部分７ｄに熱融着手段１７によって固着されている。自由端部６ｂは、止着部材５をおむつ１の横方向内方へ越える寸法を有し、止着部材５の外面全域が自由端部６ｂによって被覆されている。自由端部６ｂの内面における粘着剤５ｅと重なる部位には、粘着剤５ｅを被覆、保護する剥離シート６ｄが接着剤１８を介して固着されている。
【００３２】
前胴周り域２０における裏面シート３の外面には、被止着域を形成する矩形のプラスチックフィルム（図示せず）が接着剤を介して固着されている。
【００３３】
おむつ１では、図１のそれと同様に、プラスチックシート５ｄと被覆シート６の基端部６ａとが所与寸法離間していることが好ましく、その離間寸法Ｌ１が３〜１０ｍｍの範囲にあることが好ましい。また、被覆シート６が可撓性プラスチックシートから形成されていてもよい。
【００３４】
おむつ１を着用する時では、被覆シート６の摘み６ｃを指で摘持し、剥離シート６ｄを粘着剤５ｅから剥離させ、被覆シート６をめくって粘着剤５ｅを露出させる。後胴周り域２２の両側縁部１ａが前胴周り域２０の両側縁部１ａの外側になるように重ね合わせ、止着部材５を粘着剤５ｅを介してプラスチックフィルムに止着する。
【００３５】
図６，７は、他の実施の形態を示すおむつ１の部分斜視図と、図６のＣ−Ｃ線切断面図とである。おむつ１の基本的な構成は、図１のそれと同一であるので、その説明は省略する。図６に示すおむつ１が図１のそれと異なる点は、以下のとおりである。
【００３６】
図６のおむつ１において、後胴周り域２２の両側縁部１ａの内面に取り付けられた止着部材５は、矩形の不織布５ａと、おむつ１の横方向中央部寄りに位置する矩形のフック部材５ｂとから形成されている。止着部材５では、フック部材５ｂからおむつ１の横方向外方へ不織布５ａが延びて外側領域５ｃを形成している。止着部材５では、フック部材５ｂの内面が接着剤１０を介して不織布の外面に固着され、不織布５ａの内面が接着剤１１を介して側部シート７の外側部分７ｄに固着されている。
【００３７】
止着部材５では、外側領域５ｃのうち、側部シート７の外側部分７ｄに非固着の領域５ｃがフック部材５ｂの方向へ折曲され、フック部材５ｂの外面を被覆する被覆部１９を形成している。外側領域５ｃは、それが不用意にめくれてしまうことを防ぐため、折曲部位の近傍が熱融着手段１７によって固着されている。外側領域５ｃは、フック部材５ｂを被覆したときに、フック部材５ｂをおむつ１の横方向内方へ超える寸法を有する。
【００３８】
図８，９は、他の実施の形態を示すおむつ１の部分斜視図と、図８のＤ−Ｄ線切断面図とである。おむつ１の基本的な構成は、図１のそれと同一であるので、その説明は省略する。図８に示すおむつ１が図１のそれと異なる点は、以下のとおりである。
【００３９】
図８のおむつ１では、後胴周り域２２の両側縁部１ａの内面に矩形の止着部材５が取り付けられ、止着部材５から横方向外方へ延びる後胴周り域２２の両側縁部１ａが、止着部材５の側へ折曲されて止着部材５の外面全域を被覆する被覆部１９を形成している。
【００４０】
止着部材５は、フック部材５ｂから形成され、フック部材５ｂの内面が接着剤１１を介して側部シート７の外側部分７ｄに固着されている。被覆部１９を形成する両側縁部１ａ各々は、それが不用意にめくれてしまうことを防ぐため、折曲部位の近傍が熱融着手段１７によって固着されている。被覆部１９は、フック部材５ｂを被覆したときに、フック部材５ｂをおむつ１の横方向内方へ越える寸法を有する。
【００４１】
図８のおむつで１は、後胴周り域２２の両側縁部１ａにおいて、裏面シート３の両側部分３ａと側部シート７の外側部分７ｄとのうちのいずれか一方が他方よりもおむつ１の横方向外方へ延び、裏面シート３の両側部分３ａまたは側部シート７の外側部分７ｄが止着部材５の方向へ折曲されて止着部材５の外面全域を被覆する被覆部１９を形成していてもよい。
【００４２】
図６と図８とに示すおむつ１では、フック部材５ｂと熱融着部分１７とが所与寸法離間していることが好ましく、その離間寸法Ｌ２が３〜１０ｍｍの範囲にあることが好ましい。図６と図８とに示すおむつ１を着用する時では、被覆部１９の摘み１９ａを指で摘持し、被覆部１９をめくってフック部材５ｂを露出させ、フック部材５ｂを前胴周り域２０の外面に取り付けられたループ部材（図示せず）に係合させる。
【００４３】
それら図示例のおむつ１では、後胴周り域２２の側縁部１ａに二つ以上の止着部材５が取り付けられていてもよい。また、止着部材５の止着手段としては、フック部材と粘着剤とのいずれでもよく、止着部材５の形状についても特に限定はない。おむつ１では、止着部材５が前胴周り域２０の両側縁部１ａの肌当接面に取り付けられ、被止着域が後胴周り域２２の肌非当接面に形成されていてもよい。なお、止着部材５の外面が被覆シート６や被覆部１９によって被覆されていることはいうまでもない。止着手段としてフック部材を使用する場合は、被止着域としてループ部材が使用され、止着手段として粘着剤を使用する場合は、被止着域としてプラスチックフィルムが使用される。
【００４４】
表面シート２には、不織布や開孔プラスチックフィルム等の透液性のシート、好ましくは透液性であって親水性のシートを使用することができる。裏面シート３には、疎水性不織布や不透液性のプラスチックフィルム、または、疎水性不織布とプラスチックフィルムとのラミネートシート、好ましくは通気不透液性のシートを使用することができる。また、裏面シート３としては、高い耐水性を有するメルトブローン不織布を、高い強度を有しかつ柔軟性に富んだスパンボンド不織布で挟んだ複合不織布（ＳＭＳ不織布）を使用することもできる。側部シート７には、疎水性不織布、好ましくは通気不透液性のシートを使用することができる。
【００４５】
不織布としては、スパンレース、ニードルパンチ、メルトブローン、サーマルボンド、スパンポンド、ケミカルボンド等の不織布を使用することができる。不織布の構成繊維としては、ポリオレフィン系、ポリエステル系、ポリアミド系の各繊維、ポリエチレン／ポリプロピレンやポリエチレン／ポリエステル等で形成された芯鞘型複合繊維、サイドバイサイド型複合繊維を使用することができる。
【００４６】
プラスチックシート５ｄや剥離シート６ｄ、被止着域となるプラスチックフィルムとしては、ポリエチレン、ポリプロピレン、ポリエステル等の熱可塑性合成樹脂を使用することができる。
【００４７】
パネル４は、フラッフパルプと高吸収性ポリマー粒子と熱可塑性合成樹脂繊維との混合物であり、所要の厚みに圧縮されている。高吸収性ポリマーとしては、デンプン系、セルロース系、合成ポリマー系のものを使用することができる。
【００４８】
表裏面シート２，３の固着や側部シート７の固着、パネル４の接合、弾性部材１４，１５，１６の固着には、ホットメルト接着剤等の接着剤の他に、熱溶着手段を利用することもできる。
【００４９】
この発明は、オープン型の使い捨ておむつの他に、いずれもオープン型の、おむつカバーやトレーニングパンツ、失禁パンツでも実施することができる。
【００５０】
【発明の効果】
本発明にかかる使い捨て着用物品によれば、止着部材の外面全域が、止着部材の外側に位置する後胴周り域の両側縁部から物品の横方向内方へ延びる被覆部によって被覆されているので、物品の非着用時において、止着部材が表面シートや裏面シート等に不用意に係合してしまうことを防ぐことができ、止着部材によって表面シートや裏面シート等を痛めてしまうことがない。
【図面の簡単な説明】
【図１】  一部を破断して示す使い捨ておむつの斜視図。
【図２】  後胴周り域を示すおむつの部分斜視図。
【図３】  図２のＡ−Ａ線切断面図。
【図４】  他の実施の形態を示すおむつの部分斜視図。
【図５】  図４のＢ−Ｂ線切断面図。
【図６】  他の実施の形態を示すおむつの部分斜視図。
【図７】  図６のＣ−Ｃ線切断面図。
【図８】  他の実施の形態を示すおむつの部分斜視図。
【図９】  図８のＤ−Ｄ線切断面図。
【符号の説明】
１            オープン型の使い捨ておむつ（オープン型の使い捨て着用物品）
１ａ          両側縁部
１ｂ          両端縁部
２            透液性表面シート
３            不透液性裏面シート
４            吸液性パネル
５            止着部材
５ａ          不織布
５ｂ          フック部材
５ｃ          外側領域
５ｄ          プラスチックシート
５ｅ          粘着剤
６            被覆シート
６ａ          基端部
６ｂ          自由端部
１３            ループ部材（被止着域）
１９            被覆部
２０            前胴周り域
２１            股下域
２２            後胴周り域
【図１】
0003916853.tif 000002
【図２】
0003916853.tif 000003
【図３】
0003916853.tif 000004
【図４】
0003916853.tif 000005
【図５】
0003916853.tif 000006
【図６】
0003916853.tif 000007
【図７】
0003916853.tif 000008
【図８】
0003916853.tif 000009
【図９】
0003916853.tif 000010